(57)【要約】【課題】操作ボタンの押圧操作を利用して発電する構成において、簡易な構成で押圧操作力の伝達ロスを小さくする。【解決手段】操作ボタンの押圧方向と直交する回動軸３８と、複数の操作ボタンの各々に対応して設けられ共通の回動軸３８に固定される複数の回動部材３１とを有し、操作ボタンが押圧操作されると操作ボタンと回動部材３１との係合により、押圧操作された操作ボタンに対応する回動部材３１と回動軸３８とが回動することで、操作ボタンの押圧操作力を発電装置４０の第１作動部材４２に伝達するから、押圧操作の操作力の伝達ロスを小さくすることができる。また、複数の回動部材３１を共通の回動軸３８で固定するから、部品点数の少ない簡易な構成とすることができる。【選択図】図３
2018046355.tif 000002
【特許請求の範囲】
【請求項１】
機器を遠隔操作するためのリモートコントロール装置であって、
作動部材の所定動作により発電する発電装置と、
押圧操作に伴って押圧方向に移動する係合部が各々に設けられ、押圧操作される複数の操作ボタンと、
前記複数の操作ボタンの係合部に係合する被係合部が各々に設けられ、前記操作ボタンの押圧方向と直交する共通の回動軸に固定された複数の回動部材を有する伝達機構と、
を備え、
前記伝達機構は、押圧操作された前記操作ボタンの係合部と、該操作ボタンに対応する前記回動部材の被係合部との係合により、前記回動部材が前記回動軸と共に回動することで前記操作ボタンの押圧操作力を前記作動部材に伝達して前記所定動作を行わせる
リモートコントロール装置。
【請求項２】
請求項１に記載のリモートコントロール装置であって、
前記伝達機構は、前記回動軸に連結されて前記回動部材の回動に連動すると共に該回動を前記所定動作の方向に変換して前記作動部材に伝達する変換部材を有する
リモートコントロール装置。
【請求項３】
請求項２に記載のリモートコントロール装置であって、
前記作動部材は、前記所定動作として、前記回動軸の軸方向に進退動作が可能に構成され、
前記変換部材は、前記作動部材に対向し前記回動軸に対して傾斜した傾斜面を有し、前記回動部材の回動に連動して前記傾斜面で前記作動部材を押圧することで該作動部材を前記発電装置内に進入させ、前記傾斜面での前記作動部材の押圧を解除することで前記作動部材の前記発電装置内からの退出を許容する
リモートコントロール装置。
【請求項４】
請求項１ないし３のいずれか１項に記載のリモートコントロール装置であって、
前記複数の回動部材の各々は、外周面に前記被係合部が設けられ、対応する前記操作ボタンが押圧操作されることで前記係合部と前記被係合部との係合により回動するリング状の外側部材と、前記外側部材の内側に配置され、前記回動軸に固定される円盤状の部材であって周方向の一部に扇状の切り欠きを有する内側部材と、により構成され、
前記外側部材は、内周面に前記内側部材の切り欠き内に突出する突起が設けられ、
前記内側部材は、前記外側部材の回動による前記突起の回動方向への移動を前記切り欠きの端面で受けて回動する
リモートコントロール装置。
【発明の詳細な説明】
【技術分野】
【０００１】
本発明は、リモートコントロール装置に関する。
【背景技術】
【０００２】
従来、この種のリモートコントロール装置として、操作ボタンの押圧操作を利用して発電する発電装置を備え、操作信号の送信に必要な電力を発電電力でまかなうものが提案されている。例えば、特許文献１のリモートコントロール装置は、操作ボタンの押圧操作により押圧方向に沿って移動する突起部材と、突起部材の移動を傾斜面で受けることで操作ボタンの押圧方向と直交する周方向に回転する回転部材と、回転部材の回転運動を直線運動に変換する変換部材とを備え、変換部材の直線運動により発動装置を作動させることで発電を行うものとしている。
【先行技術文献】
【特許文献】
【０００３】
【特許文献１】特開２０１５−１７０９４６号公報
【発明の概要】
【発明が解決しようとする課題】
【０００４】
上述したリモートコントロール装置では、突起部材の移動を傾斜面で受けた分力により回転部材が回転するから、変換部材に押圧操作力が伝達されるまでに伝達ロスが生じることになる。また、操作ボタンの押圧方向の操作力を、回転部材を介して回転方向の力に変換し、さらに、変換部材を介して直線方向の力に変換するから、部品点数が増加して装置構成が複雑なものとなる。
【０００５】
本発明のリモートコントロール装置は、操作ボタンの押圧操作を利用して発電する構成において、簡易な構成で押圧操作力の伝達ロスを小さくすることを主目的とする。
【課題を解決するための手段】
【０００６】
本発明のリモートコントロール装置は、上述の主目的を達成するために以下の手段を採った。
【０００７】
本発明のリモートコントロール装置は、
機器を遠隔操作するためのリモートコントロール装置であって、
作動部材の所定動作により発電する発電装置と、
押圧操作に伴って押圧方向に移動する係合部が各々に設けられ、押圧操作される複数の操作ボタンと、
前記複数の操作ボタンの係合部に係合する被係合部が各々に設けられ、前記操作ボタンの押圧方向と直交する共通の回動軸に固定された複数の回動部材を有する伝達機構と、
を備え、
前記伝達機構は、押圧操作された前記操作ボタンの係合部と、該操作ボタンに対応する前記回動部材の被係合部との係合により、前記回動部材が前記回動軸と共に回動することで前記操作ボタンの押圧操作力を前記作動部材に伝達して前記所定動作を行わせる
ことを要旨とする。
【０００８】
本発明のリモートコントロール装置は、複数の操作ボタンの係合部に係合する被係合部が各々に設けられ、操作ボタンの押圧方向と直交する共通の回動軸に固定された複数の回動部材を有する伝達機構を備え、押圧操作された操作ボタンの係合部と、その操作ボタンに対応する回動部材の被係合部との係合により、回動部材が回動軸と共に回動することで操作ボタンの押圧操作力を作動部材に伝達して所定動作を行わせる。このため、係合部と被係合部との係合により押圧方向と同方向に回動部材と回動軸とが回動して作動部材に押圧操作力を伝達するから、押圧操作力の伝達ロスを小さくすることができる。また、複数の回動部材が共通の回動軸に固定されているから、部品点数を少なくすることができる。したがって、操作ボタンの押圧操作を利用して発電する構成において、部品点数の少ない簡易な構成で押圧操作力の伝達ロスを小さくすることができる。
【０００９】
本発明のリモートコントロール装置において、前記伝達機構は、前記回動軸に連結されて前記回動部材の回動に連動すると共に該回動を前記所定動作の方向に変換して前記作動部材に伝達する変換部材を有するものとすることもできる。こうすれば、変換部材を作動させるための専用の部材が不要となるから、部品点数を少なくすることができる。
【００１０】
本発明のリモートコントロール装置において、前記作動部材は、前記所定動作として、前記回動軸の軸方向に進退動作が可能に構成され、前記変換部材は、前記作動部材に対向し前記回動軸に対して傾斜した傾斜面を有し、前記回動部材の回動に連動して前記傾斜面で前記作動部材を押圧することで該作動部材を前記発電装置内に進入させ、前記傾斜面での前記作動部材の押圧を解除することで前記作動部材の前記発電装置内からの退出を許容するものとすることもできる。こうすれば、複雑なリンク機構などを用いることのない簡易な構成で、作動部材に所定動作を行わせることができる。
【００１１】
本発明のリモートコントロール装置において、前記複数の回動部材の各々は、外周面に前記被係合部が設けられ、対応する前記操作ボタンが押圧操作されることで前記係合部と前記被係合部との係合により回動するリング状の外側部材と、前記外側部材の内側に配置され、前記回動軸に固定される円盤状の部材であって周方向の一部に扇状の切り欠きを有する内側部材と、により構成され、前記外側部材は、内周面に前記内側部材の切り欠き内に突出する突起が設けられ、前記内側部材は、前記外側部材の回動による前記突起の回動方向への移動を前記切り欠きの端面で受けて回動するものとすることもできる。こうすれば、複数の回動部材の回動軸を共通の回動軸とする構成を簡易な構成で実現することができる。
【図面の簡単な説明】
【００１２】
【図１】温水洗浄便座装置１０の外観を示す外観斜視図である。
【図２】リモートコントロール装置２０の外観斜視図である。
【図３】リモートコントロール装置２０の内部構成図である。
【図４】リモートコントロール装置２０の制御と発電に関するブロック図である。
【図５】操作ボタン２３の操作と回動部材３１の回動の関係を示す説明図である。
【図６】回動部材３１の回動の様子を示す説明図である。
【図７】変換部材３９の連動と作動部４１の作動の関係を示す説明図である。
【図８】変形例の操作ボタン２３Ｘの構成図である。
【図９】変形例のリモートコントロール装置１２０の外観斜視図である。
【図１０】変形例のリモートコントロール装置１２０の内部構成図である。
【図１１】変形例のリモートコントロール装置１２０の断面構成図である。
【発明を実施するための形態】
【００１３】
本発明を実施するための形態を実施例を用いて説明する。
【実施例】
【００１４】
図１は、温水洗浄便座装置１０の外観を示す外観斜視図であり、図２は、リモートコントロール装置２０の外観斜視図であり、図３は、リモートコントロール装置２０の内部構成図であり、図４は、リモートコントロール装置２０の制御と発電に関するブロック図である。
【００１５】
実施例の温水洗浄便座装置１０は、図１に示すように、便器１の上面に取り付けられ、便座装置本体１２と、便座装置本体１２に対して開閉可能に支持された便座１４と、便座装置本体１２に対して開閉可能に支持された便蓋１６とを備える。この温水洗浄便座装置１０は、リモートコントロール装置（以下、リモコン）２０により各種作動指示が可能となっている。温水洗浄便座装置１０の各種作動としては、人体の局部に洗浄水を噴射する洗浄動作（おしり洗浄やビデ洗浄など）や洗浄後の局部に送風する乾燥動作、便器１内などの臭気を除去する脱臭動作などが挙げられる。
【００１６】
リモコン２０は、図２、図３に示すように、直方体状の筐体２１と、筐体２１の前面を覆う前面カバー２２と、前面カバー２２に押圧操作可能に設けられた複数の操作ボタン２３とを備える。また、リモコン２０は、筐体２１内に、操作者による操作ボタン２３の操作力を回動部材３１と変換部材３９などを介して伝達する伝達機構３０と、伝達機構３０（変換部材３９）により伝達された操作力を用いた作動部４１（第１作動部材４２）の作動により発電部４８（図４参照）が発電する発電装置４０と、操作者に押圧操作された操作ボタン２３に応じた操作信号（リモコン信号）を生成して温水洗浄便座装置１０に送信する送信制御ユニット５０（図４参照）とを備える。ここで、図５は、操作ボタン２３の操作と回動部材３１の回動の関係を示す説明図であり、図６は、回動部材３１の回動の様子を示す説明図であり、図７は、変換部材３９の連動と作動部４１の作動の関係を示す説明図である。
【００１７】
また、リモコン２０は、複数の操作ボタン２３として、例えば図２に示すように、各種動作の停止を指示する止ボタン２３ａと、おしり洗浄の開始を指示するおしり洗浄ボタン２３ｂと、ビデ洗浄の開始を指示するビデ洗浄ボタン２３ｃと、乾燥動作の開始を指示する乾燥ボタン２３ｄと、脱臭動作の開始を指示する脱臭ボタン２３ｅと、おしり洗浄やビデ洗浄の水勢を強める強ボタン２３ｆおよび水勢を弱める弱ボタン２３ｇと、おしり洗浄やビデ洗浄の洗浄位置を前方に変更する前ボタン２３ｈおよび後方に変更する後ボタン２３ｉとの９個のボタンを備える。
【００１８】
各操作ボタン２３は、図５に示すように、前面カバー２２に支持される上端の回動軸２４を中心に揺動可能（回動可能）に構成されており、回動軸２４を中心として円弧状に湾曲した底面外側に円弧に沿って歯が並んだギヤ２５が設けられている。また、操作ボタン２３は、筐体２１内に固定されるスプリング保持部２７と、操作面（前面）の裏側との間に配置されたリターンスプリング２６により前方に付勢されている。このため、操作ボタン２３は、操作者による押圧操作がなされていない状態（以下、初期状態という）でリターンスプリング２６の付勢力により前面カバー２２から露出する位置となり（図２、図５（ａ）参照）、操作者による押圧操作がなされている状態（以下、操作状態という）でリターンスプリング２６の付勢力に抗して筐体２１内に押し込まれる位置となる（図５（ｂ）参照）。
【００１９】
伝達機構３０は、図３に示すように、複数（９個）の操作ボタン２３の各々に対向する位置に配置され操作ボタン２３の押圧操作によって回動する９個の回動部材３１（３１ａ〜３１ｉ）と、操作ボタン２３の押圧操作の方向に直交する方向に延在し各回動部材３１に共通の回動軸３８と、回動軸３８の端部に連結され回動部材３１（回動軸３８）の回動運動を発電装置４０の作動部４１（第１作動部材４２）の揺動運動に変換する変換部材３９とを備える。
【００２０】
各回動部材３１は、図５、図６に示すように、操作ボタン２３の底面外側に設けられたギヤ２５（係合部）と噛み合うギヤ３３（被係合部、図６では省略）が外周面に形成されたリング状の外側部材３２と、外側部材３２と相対回転可能に外側部材３２の内側に配置され回動軸３８に固定された内側部材３６とを備える。外側部材３２は、初期状態で内周側の略３時の位置から内側に突出する突起３４が形成され、初期状態で外周側の略３時の位置から外側に突出する磁石部材３５（図５では省略）が設けられている。また、内側部材３６は、周方向の一部に扇状の切り欠き３７を有する円盤状の部材である。具体的には、切り欠き３７の端面３７ａで外側部材３２の突起３４を受けるよう、初期状態で略１２時の位置から略３時の位置まで切り欠き３７が形成されている。このため、回動部材３１は、操作状態で、ギヤ２５とギヤ３３との噛み合いにより外側部材３２が図中右回りに回動し、外側部材３２の回動による回動方向への突起３４の移動を端面３７ａで受けた内側部材３６が、外側部材３２と一体に回動する（図５（ｂ）、図６（ｂ）参照）。また、各回動部材３１（３１ａ〜３１ｉ）の内側部材３６は、共通の回動軸３８と共に一体に回動可能となっている。このため、いずれかの回動部材３１（外側部材３２）が回動すると、その回動部材３１の内側部材３６が回動し、それに伴って他の回動部材３１の内側部材３６も回動する。このとき、内側部材３６は、切り欠き３７の端面３７ａが外側部材３２の突起３４から離間する方向に回動するため、他の回動部材３１の外側部材３２は回動することなく、内側部材３６のみが回動することになる（図６（ｃ）参照）。
【００２１】
変換部材３９は、図３、図７に示すように、周方向の厚みに変化をもたせた略円盤状の部材であり、厚肉部３９ａと薄肉部３９ｂとを繋ぐ傾斜面３９ｃが形成されている。この変換部材３９は、中心に回動軸３８の端部が連結されており、各回動部材３１（３１ａ〜３１ｉ）の内側部材３６と一体に回動する。変換部材３９は、初期状態で、傾斜面３９ｃ（薄肉部３９ｂ側）が上方に位置するよう配置されている（図７（ａ）参照）。また、変換部材３９は、操作状態で、回動部材３１（回動軸３８）の回動に連動して回動し、厚肉部３９ａ側が上方に移動する（図７（ｂ）参照）。
【００２２】
発電装置４０の作動部４１は、図７に示すように、変換部材３９に対向して配置され変換部材３９の作動による押圧を受けて図示しない回動軸を中心に揺動（回動）する略扇状の第１作動部材４２（スイッチ）と、回動軸３８の軸方向と同方向に延びて第１作動部材４２の作動（揺動）を受けて進退動作する略四角柱状の第２作動部材４３とを備える。第２作動部材４３は、上面に突起４３ａが設けられると共に下面にラックギヤ４３ｂが設けられている。作動部４１は、第２作動部材４３を第１作動部材４２側に付勢するスプリング４４と、第２作動部材４３の突起４３ａに当接して第２作動部材４３を停止させるストッパー４５と、第２作動部材４３のラックギヤ４３ｂに噛み合うギヤ４６ｂが外周面に設けられ回動軸４６ａを中心に回動する回動部材４６とを備える。また、発電部４２は、図示は省略するが、回動部材４６の回動軸４６ａに接続されて回動する永久磁石と、永久磁石を取り囲むように円筒状に配置されるコイルとを備え、電磁誘導により発電するよう構成されている。
【００２３】
制御ユニット５０は、発電装置４０により発電された電力を用いて操作信号を送信するものである。この制御ユニット５０は、図４に示すように、各回動部材３１（３１ａ〜３１ｉ）に設けられた磁石部材３５を検知するホール素子などで構成された検知センサ５１（５１ａ〜５１ｉ）と、検知センサ５１からの検知信号を入力して押圧操作された操作ボタン２３に応じた操作信号を生成するマイクロコンピュータ（マイコン）５２と、マイコン５２により生成された操作信号を温水洗浄便座装置１０に送信する送信部５４とを備える。検知センサ５１は、回動部材３１の外側部材３２が回動した際に、磁石部材３５を検知可能な位置に設けられている（図６参照）。なお、上述したように、いずれかの回動部材３１が回動することにより他の回動部材３１の内側部材３６が回動しても、他の回動部材３１の外側部材３２は回動しないから（図６（ｃ）参照）、検知センサ５１は押圧操作された操作ボタン２３を適切に検知することができる。
【００２４】
こうして構成されたリモコン２０では、操作状態になると、押圧操作された操作ボタン２３に対応する回動部材３１（外側部材３２、内側部材３６）と回動軸３８とが一体に回動し、回動軸３８に連結された変換部材３９も回動する。変換部材３９の回動によって傾斜面３９ｃの厚肉部３９ａ側が上方に移動することで、第１作動部材４２を発電装置４０内に押し込むように揺動させる。この第１作動部材４２の作動（揺動）によって第２作動部材４３が回動軸３８の軸方向に沿って押し込まれ、スプリング４４が収縮する（図７（ｂ））。また、第２作動部材４３が押し込まれる際のラックギヤ４３ｂとギヤ４６ｂとの噛み合いによって回動部材４６が回動し、それに伴って永久磁石が回動することで、電磁誘導により発電部４２が発電する。
【００２５】
また、操作者による操作ボタン２３の押圧操作が終了すると、操作ボタン２３がリターンスプリング２６の付勢力により初期状態に戻り、ギヤ２５とギヤ３３との噛み合いにより外側部材３２が戻り方向（図中左回り）に回動して初期状態に戻る。外側部材３２が初期状態に戻ると、その外側部材３２の突起３４と内側部材３６の切り欠き３７の端面３７ａとが離間するから、各内側部材３６（回動軸３８、変換部材３９）の拘束が解除される。このため、伝達機構３０（変換部材３９）による押圧操作力の伝達がなくなるため、発電装置４０では、収縮していたスプリング４４が伸張して突起４３ａがストッパー４５に当接する位置まで第２作動部材４３を押し出し、これにより第１作動部材４２が作動（揺動）して初期状態に戻る（図７（ａ））。また、第２作動部材４３が押し出される際のラックギヤ４３ｂとギヤ４６ｂとの噛み合いによって回動部材４６が回動し、それに伴って永久磁石が回動することで、電磁誘導により発電部４２が発電する。
【００２６】
以上説明した本実施例のリモコン２０は、操作ボタン２３の押圧方向と直交する回動軸３８と、複数の操作ボタン２３の各々に対応して設けられ共通の回動軸３８に固定される複数の回動部材３１とを有し、操作ボタン２３が押圧操作されると操作ボタン２３と回動部材３１との係合により、押圧操作された操作ボタン２３に対応する回動部材３１と回動軸３８とが回動することで、操作ボタン２３の押圧操作力を発電装置４０の作動部４１（第１作動部材４２、第２作動部材４３）に伝達する伝達機構３０を備える。このため、押圧操作の操作力を伝達ロスを小さくして作動部４１に伝達して発電することができる。また、複数の回動部材３１を共通の回動軸３８で固定するから、部品点数を少なくすることができる。したがって、操作ボタン２３の押圧操作を利用して発電する構成において、部品点数の少ない簡易な構成で押圧操作力の伝達ロスを小さくすることができる。
【００２７】
また、伝達機構３０は、回動軸３８に連結され回動部材３１の回動を第１作動部材４２の揺動に変換する変換部材３９を有するから、変換部材３９を作動させるための専用の部材が不要となって部品点数を少なくすることができる。
【００２８】
また、発電装置４０の第２作動部材４３は、第１作動部材４２の揺動によって回動軸３８の軸方向に沿って進退動作が可能に構成され、変換部材３９は、第１作動部材４２に対向する面に傾斜面３９ｃを有し、回動部材３１の回動に連動して傾斜面３９ｃで第１作動部材４２を押圧することで回動部材３１の回動を第１作動部材４２の揺動に変換して第２作動部材４３を進退動作させるから、複雑なリンク機構などを用いることのない簡易な構成とすることができる。また、変換部材３９に複雑な加工などを行うことなく押圧操作力を作動部４１（第１作動部材４２）に伝達することができる。
【００２９】
また、各操作ボタン２３は、回動軸２４を円弧中心とする底面外側の円弧面にギヤ２５が設けられ、各回動部材３１は、対応する操作ボタン２３のギヤ２５に噛み合うギヤ３５が外周面に設けられると共に内周面に突起３４が形成されたリング状の外側部材３２と、回動軸３８に固定されると共に外側部材３２の内側に配置され、外側部材３２の回動による回動方向への突起３４の移動を切り欠き３７の端面３７ａで受けて回動する内側部材３６と、により構成される。このため、複数の回動部材３１を共通の回動軸３８で連結する構成を簡易な構成とすることができる。
【００３０】
実施例では、操作ボタン２３の回動軸２４から最も遠い底面外側にギヤ２５が設けられるものとしたが、これに限られるものではない。例えば、図８の変形例の操作ボタン２３Ｘに示すように、操作ボタン２３Ｘの回動軸２４と底面との間にギヤ２５Ｘが設けられた円弧状の部材を取り付けるものなどとしてもよい。このようにすれば、操作ボタン２３Ｘの高さの範囲内に回動部材３１を収めることができ、リモコン２０の高さを抑えてコンパクトな構成とすることができる。
【００３１】
実施例では、押圧操作された操作ボタン２３が上部の回動軸２４を中心に揺動（回動）するものとしたが、これに限られず、押圧操作された操作ボタン２３が押圧方向に沿って水平移動（スライド）するものなどとしてもよい。このようにする場合、操作ボタン２３の裏側に押圧方向（移動方向）に沿って突出するラックギヤ（係合部）と、ラックギヤを初期位置に付勢するリターンスプリングとを設け、ラックギヤに回動部材３１（外側部材３２）のギヤ３３（被係合部）が噛み合うよう構成するものなどとしてもよい。
【００３２】
実施例では、操作ボタン２３に設けられるギヤ２５（２５Ｘ）と回動部材３１に設けられるギヤ３３との噛み合いにより、操作ボタン２３が押圧操作されると回動部材３１が回動するものとしたが、これに限られるものではない。例えば、操作ボタン２３に設けられる摩擦材（係合部）と、回動部材３１に設けられる摩擦材（被係合部）との摩擦係合により、操作ボタン２３が押圧操作されると回動部材３１が回動するものなどとしてもよい。
【００３３】
実施例では、複数の操作ボタン２３が一段（横一列）に配置され回動部材３１が一の共通の回動軸３８に固定されるものとしたが、これに限られず、操作ボタン２３が複数段に亘って配置され回動部材３１が複数の共通の回動軸３８のいずれかに固定されるものとしてもよい。ここで、図９は、変形例のリモートコントロール装置（リモコン）１２０の外観斜視図であり、図１０は、変形例のリモートコントロール装置１２０の内部構成図であり、図１１は、変形例のリモートコントロール装置１２０の断面構成図である。図９の変形例のリモコン１２０は、複数の操作ボタン２３が二段に配置されている。この変形例のリモコン１２０では、図１０に示すように、各操作ボタン２３に対応する各回動部材３１も二段に配置されることになる。上段の回動部材３１の共通の回動軸１３８Ａの一端（図中右端）には、外周面にギヤ１３２が設けられた円盤状の第１伝達部材１３１が設けられている。また、下段の回動部材３１の共通の回動軸１３８Ｂの一端（図中右端）には、外周面にギヤ１３４が設けられた円盤状の第２伝達部材１３３が設けられている。第１伝達部材１３１と第２伝達部材１３３とは、横方向の位置が同じ位置となるよう配置されている。また、第１伝達部材１３１と第２伝達部材１３３の後方側に、第１伝達部材１３１のギヤ１３２と第２伝達部材１３３のギヤ１３４とに噛み合い、上下方向に移動可能なラックギヤ１３５が設けられている。また、変形例の変換部材３９は、下段の回動軸１３８Ｂに連結されており、回動軸１３８Ｂの回動に連動して回動する。
【００３４】
この変形例のリモコン１２０では、上段の操作ボタン２３が押圧操作されて対応する回動部材３１が回動すると、回動軸１３８Ａに連結された第１伝達部材１３１が回動する。第１伝達部材１３１が回動すると、外周面に設けられたギヤ１３２に噛み合うラックギヤ１３５を移動させる。ラックギヤ１３５の移動により、外周面に設けられたギヤ１３４がラックギヤ１３５に噛み合う第２伝達部材１３３が回動する。第２伝達部材１３３が回動すると、回動軸１３８Ｂに連結された変換部材３９が連動し、回動を第１作動部材４２の揺動に変換する。これにより、発電装置４０の作動部４１を作動させることができるから、発電装置４０による発電が行われる。なお、下段の操作ボタン２３が押圧操作された場合には、回動軸１３８Ｂの回動により変換部材３９が回動して同様に発電が行われる。
【００３５】
また、変形例のリモコン１２０では、図１１（ａ）に示すように、底面外側にギヤ２５が設けられた操作ボタン２３を用いるものとしてもよい。あるいは、図１１（ｂ）に示すように、ギヤ２５Ｘが設けられた部材が取り付けられた操作ボタン２３Ｘを用いるものとしてもよい。後者のようにすれば、操作ボタン２３Ｘを複数段（二段）に亘って配置する場合に、リモコン１２０の高さを抑える効果が顕著なものとなる。
【００３６】
実施例では、発電装置４０の第１作動部材４２と第２作動部材４３とを別々の部材として構成したが、一の作動部材として構成してもよい。また、伝達機構３０の回動軸３８の回動により変換部材３９を介して第１作動部材４２、第２作動部材４３、回動部材４６が作動（回動）して永久磁石を回動させることで発電装置４０が発電するものとしたが、この構成に限られるものではない。例えば、変換部材３９、第１作動部材４２、第２作動部材４３、回動部材４６を備えずに、回動軸３８に永久磁石が直接接続されるよう構成し、回動軸３８の回動により永久磁石を直接回動（作動）させることで発電装置が発電するものなどとしてもよい。即ち、伝達機構３０が変換部材３９を備えずに、回動軸３８により押圧操作力を発電装置に直接伝達するものとしてもよい。
【００３７】
実施例では、回動部材３１と変換部材３９とが共通の回動軸３８によって回動するものとしたが、これに限られるものではない。例えば、回動部材３１のギヤ３３に噛み合うギヤが形成された部材などを介して変換部材３９が回動部材３１の回動に連動するものなどとしてもよい。
【００３８】
実施例では、発電装置４０が電磁誘導により発電するものとしたが、これに限られず、圧電素子を用いて発電するなど他の方法により発電するものとしてもよい。
【００３９】
実施例では、温水洗浄便座装置１０を遠隔操作するリモコン２０を例示したが、これに限られず、操作信号を送信して機器を遠隔操作するリモコンに本発明を適用するものであればよい。
【００４０】
実施例の主要な要素と課題を解決するための手段の欄に記載した発明の主要な要素との対応関係について説明する。実施例では、操作ボタン２３が「操作ボタン」に相当し、リモートコントロール装置（リモコン）２０が「リモートコントロール装置」に相当し、第１作動部材４２と第２作動部材４３とが「作動部材」に相当し、発電装置４０が「発電装置」に相当し、回動部材３１が「回動部材」に相当し、伝達機構３０が「伝達機構」に相当する。また、変換部材３９が「変換部材」に相当し、外側部材３２が「外側部材」に相当し、内側部材３６が「内側部材」に相当する。
【００４１】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００４２】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４３】
本発明は、リモートコントロール装置の製造産業などに利用可能である。
【符号の説明】
【００４４】
１  便器、１０  温水洗浄便座装置、１２  便座装置本体、１４  便座、１６  便蓋、２０、１２０  リモートコントロール装置（リモコン）、２１  筐体、２２  前面カバー、２３、２３Ｘ  操作ボタン、２３ａ  止ボタン、２３ｂ  おしり洗浄ボタン、２３ｃ  ビデ洗浄ボタン、２３ｄ  乾燥ボタン、２３ｅ  脱臭ボタン、２３ｆ  強ボタン、２３ｇ  弱ボタン、２３ｈ  前ボタン、２３ｉ  後ボタン、２４  回動軸、２５、２５Ｘ  ギヤ、２６  リターンスプリング、２７  スプリング保持部、３０  伝達機構、３１、３１ａ〜３１ｉ  回動部材、３２  外側部材、３３  ギヤ、３４  突起、３５  永久磁石、３６  内側部材、３７  切り欠き、３７ａ  端面、３８、１３８Ａ、１３８Ｂ  回動軸、３９  変換部材、３９ａ  厚肉部、３９ｂ  薄肉部、３９ｃ  傾斜面、４０  発電装置、４１  作動部、４２  第１作動部材、４３  第２作動部材、４３ａ  突起、４３ｂ  ラックギヤ、４４  スプリング、４５  ストッパー、４６  回動部材、４６ａ  回動軸、４６ｂ  ギヤ、４８  発電部、５０  送信制御ユニット、５１、５１ａ〜５１ｉ  検知センサ、５２  マイクロコンピュータ（マイコン）、５４  送信部、１３１  第１伝達部材、１３２、１３４  ギヤ、１３３  第２伝達部材、１３５  ラックギヤ。
【図１】
2018046355.tif 000003
【図２】
2018046355.tif 000004
【図３】
2018046355.tif 000005
【図４】
2018046355.tif 000006
【図５】
2018046355.tif 000007
【図６】
2018046355.tif 000008
【図７】
2018046355.tif 000009
【図８】
2018046355.tif 000010
【図９】
2018046355.tif 000011
【図１０】
2018046355.tif 000012
【図１１】
2018046355.tif 000013